(57)【要約】【課題】  生物の多様性と遺伝子レベルにまで配慮した豊かな自然の回復に対応できること。【解決手段】  少なくとも保持帯とアンカーピンとを具備した置苗用基盤保持固定具を使用し、置苗用基盤保持固定具の内方に苗木を配置すると共に、アンカーピンを貫通させて置苗用基盤保持固定具と苗木を法面に固定し、保持帯の内部に植物生育基盤をマウンド状に造成し、マウンド状の植物生育基盤と植物生育基盤の間に残された裸地に、周辺の在来自然植物を侵入定着させる。【選択図】  図１
2006342572.tif 000002
【特許請求の範囲】
【請求項１】
緑化基礎工として植物生育基盤を造成する置苗用基盤保持固定具であって、
法面に点在して配置され、植物生育基盤を保持する保持帯と、
法面に配置した苗木の根鉢と共に前記保持帯を法面に固定する固定手段とにより構成することを特徴とする、
置苗用基盤保持固定具。
【請求項２】
請求項１において、前記保持帯に遮水材を付設して貯水部を形成したことを特徴とする、置苗用基盤保持固定具。
【請求項３】
請求項１又は請求項２において、保持帯が生分解性素材で形成されていることを特徴とする置苗用基盤保持固定具。
【請求項４】
法面に苗木を配置した後、苗木の周囲に植物生育基盤を造成して法面を自然修復する工法であって、
請求項１乃至請求項３の何れかに記載した置苗用基盤保持固定具を使用し、
前記置苗用基盤保持固定具を構成する保持帯の内方に、法面に着床させて苗木の根鉢を配置すると共に、固定手段により前記置苗用基盤保持固定具と苗木を共通して法面に固定し、
保持帯の内部に、苗木の根鉢が隠れるまでマウンド状に植物生育基盤を造成し、
マウンド状の植物生育基盤と植物生育基盤の間に裸地を残し、この裸地に周辺自然植生の侵入できる空間を設けたことを特徴とする、
自然修復法面工法。
【請求項５】
請求項４において、マウンド状の植物生育基盤と植物生育基盤の間に残された裸地にマルチング部を造成したことを特徴とする、自然修復法面工法。
【請求項６】
請求項４において、マウンド状の植物生育基盤と植物生育基盤の間に残された裸地にマルチング部を造成して裸地の風化を抑制したことを特徴とする、自然修復法面工法。
【請求項７】
請求項４において、マウンド状の植物生育基盤と植物生育基盤の間に残された裸地に施工地近傍で採取された埋土種子を含む表土を植生基盤材と共に吹付けたことを特徴とする自然修復緑化方法。
【発明の詳細な説明】
【技術分野】
【０００１】
本発明は、硬質切土法面や岩盤法面に対し苗木を導入して樹林化を図る置苗用基盤保持固定具および自然修復法面工法に関するものである。
【背景技術】
【０００２】
切土斜面等の法面の侵食を防止して安定化を図る手法のひとつとして、初期生長が速く発芽時期が同時期の外来の緑化牧草を大量に播種して、短期間で法面を緑化する急速緑化工法が知られている。
【０００３】
また硬質切土法面や急勾配岩盤法面に対しては、苗木を用いて樹林化する以下の植栽工法が知られている。
（ａ）土留客土して植栽する方法。
（ｂ）厚層基材吹付工により造成した植物生育基盤に苗木を植え付けるか、或いはマット状の苗木を張り付ける方法。
（ｃ）地山上に苗木を設置した後、厚層基材吹付工により根締めを行いながら植物生育基盤の造成を行う苗設置吹付工。
【０００４】
また上記した植生工法と植栽工法を併用することも知られている。
【発明の開示】
【発明が解決しようとする課題】
【０００５】
従来の緑化技術には、つぎのような問題点がある。
（１）リオサミット以降、持続可能な社会形成のため、地球環境への配慮と生物多様性に配慮した開発を行うことが求められ、これを受けて生物の多様性と遺伝子レベルにまで配慮した豊かな自然の回復を目的とした緑化が求められる。
従来の草本類を用いた植生工法や苗木を用いた植栽工法は、共に法面の浸食防止を主目的とした防災と景観的な観点から開発されたものであるため、上記した生物の多様性と遺伝子レベルにまで配慮した豊かな自然の回復に対応できず、従来工法の見直しを迫られている。
【０００６】
（２）植生工法と植栽工法を併用する方法も知られている。この場合、牧草と苗木を同時に生育させるために、生長の速い牧草により初期生長の遅い苗木が被圧される場合が多い。これを避けるために、植物生育基盤の保持のため併用する牧草等の草本類を少なくすることが行われるが、牧草の量が少なく生育しないと裸地状の期間が長く続き、植物生育基盤が風化して安定保持効果が数年で消失してしまうために、苗木が繁茂する前に植物生育基盤が剥落するといった問題がある。
【０００７】
（３）さらには、植物生育基盤の表層が風化して膨軟化すると、セイタカアワダチソウ、アメリカセンダングサ等の肥沃な土壌を好む強害雑草が侵入してその定着範囲が拡張化するために、苗木を被圧して樹林化が著しく阻害されて遅滞する。
そのために、景観の悪化や景観不良をもたらし、周辺の在来植物の侵入定着による自然回復が期待できない。
【０００８】
（４）硬質切土法面、急勾配岩盤に対して苗木を導入する場合、ポット苗木の安定性を確保することが重要である。
従来は、例えば苗設置吹付工に代表されるように、法面に敷設した金網にポット苗木を結束して固定した後に、植物生育基盤を吹付けて根締めを行っている。
しかしながら、金網に下部面積の小さなポット苗木を固定することは困難な作業を強いることになり、また、ポット苗木の根鉢を埋め込み可能なように植物生育基盤を厚く造成する必要があるため、比較的薄層な植物生育基盤の造成により生育可能な一般の牧草、木本ハギ類等の播種により植物を導入する場合と比べて経済性の点で劣ることとなる。
また、苗木の安定を図るために支柱を設ける方法も知られているが、急勾配の法面への支柱の取付作業が困難であるために、大型苗木の導入が困難であった。
【０００９】
（５）ポット苗木の欠点を解消するため、根鉢を薄い立方体に形成して根鉢の安定性を良くした薄鉢の苗木（薄鉢コンテナ）が提案された。
この薄鉢コンテナは植物生育基盤の造成厚を薄くする利点があるものの、特殊容器を用いて根鉢形状を薄い立方体の形状に形成する必要がある。
そのために、あらかじめ使用量を見込んで薄鉢コンテナの栽培を数年スパンで計画している間に使用量に変更があると、大量在庫を抱えたり、不足を生じて施工に間に合わないといった問題が起きる。
また、植物生育基盤を均一厚に造成するために、苗木が繁茂することに伴い、下草が失われ、根系による緊縛力を失って植物生育基盤が崩落し易くなる問題もある。
【００１０】
本発明は、以上の点に鑑みて成されたもので、その目的とするところは、つぎの何れかひとつの置苗用基盤保持固定具および自然修復法面工法を提供することにある。
（１）周辺の在来植物の侵入および定着が容易に行え、生物の多様性と遺伝子レベルにまで配慮した豊かな自然の回復に対応できること。
（２）効率的に苗木の固定を図ると共に、植物生育基盤の安定を確保すること。
（３）苗木に一般に流通している経済的なポット苗木を使用できること。
（４）急勾配の法面に大型苗木の導入が可能となること。
【課題を解決するための手段】
【００１１】
本願の第１発明は、緑化基礎工として植物生育基盤を造成する置苗用基盤保持固定具であって、法面に点在して配置され、植物生育基盤を保持する保持帯と、法面に配置した苗木の根鉢と共に前記保持帯を法面に固定する固定手段とにより構成することを特徴とする、置苗用基盤保持固定具を提供する。
本願の第２発明は、前記第１発明において、前記保持帯に遮水材を付設して貯水部を形成したことを特徴とする、置苗用基盤保持固定具を提供する。
本願の第３発明は、前記第１又は第２発明において、保持帯が生分解性素材で形成されていることを特徴とする置苗用基盤保持固定具を提供する。
【００１２】
本願の第４発明は、法面に苗木を配置した後、苗木の周囲に植物生育基盤を造成して法面を自然修復する工法であって、第１発明乃至第３発明の何れかに記載した置苗用基盤保持固定具を使用し、前記置苗用基盤保持固定具を構成する保持帯の内方に、法面に着床させて苗木の根鉢を配置すると共に、固定手段により前記置苗用基盤保持固定具と苗木を共通して法面に固定し、保持帯の内部に、苗木の根鉢が隠れるまでマウンド状に植物生育基盤を造成し、マウンド状の植物生育基盤と植物生育基盤の間に裸地を残し、この裸地に周辺自然植生の侵入できる空間を設けたことを特徴とする、自然修復法面工法を提供する。
本願の第５発明は、前記第４発明において、マウンド状の植物生育基盤と植物生育基盤の間に残された裸地にマルチング部を造成したことを特徴とする、自然修復法面工法を提供する。
本願の第６発明は、前記第４発明において、マウンド状の植物生育基盤と植物生育基盤の間に残された裸地にマルチング部を造成して裸地の風化を抑制したことを特徴とする、自然修復法面工法を提供する。
本願の第６発明は、前記第４発明において、マウンド状の植物生育基盤と植物生育基盤の間に残された裸地に施工地近傍で採取された埋土種子を含む表土を植生基盤材と共に吹付けたことを特徴とする自然修復緑化方法を提供する。
【００１３】
また本発明は苗木と共に保持帯を法面に固定する固定手段として長尺のアンカーピンを使用し、地上に突出させたアンカーピンの突出部を支柱として苗木を支えるようにしてもよい。
【発明の効果】
【００１４】
（１）置苗用基盤保持固定具は簡単な構造であるため製作が容易であるだけでなく、軽量であるため取り扱いが便利である。
（２）置苗用基盤保持固定具に形成した貯水部に雨水を貯水できるので、植物生育基盤の保水性がよくなる。
そのため、乾燥の激しい硬質切土法面や急勾配岩盤法面に対する苗木の活着を良好とすることが可能となる
（３）一つの固定手段で以って、置苗用基盤保持固定具と苗木の固定に兼用できるので、複数のピンで個別に固定する場合と比べて使用数と固定回数を削減できて、効率的である。
また、固定手段にアンカーピンを使用した場合は、固定機能だけでなく、地上に突出させた突出部を苗木を安定させる支柱機能を併有させることができる。
（４）効率的に苗木の固定が図られると共に、植物生育基盤の安定した保持が可能となる。
（５）マウンド状の植物生育基盤と植物生育基盤の間に裸地を残したことにより、周辺の在来植物の侵入および定着が容易に行え、生物の多様性と遺伝子レベルにまで配慮した豊かな自然の回復に対応できることが可能となる。
（６）苗木に一般に流通しているポット苗木を使用した場合は、設計計画に大幅な変更を生じたときでも苗木の過不足の対応が容易である。
（７）デザイン、及び経済性に配慮して、苗木の配植位置や密度を自在に調整することができる。
（８）マウンド状の植物生育基盤と植物生育基盤の間をマルチングすることにより、乾燥防止と共に地山の風化を防止できる。
（９）マウンド状の植物生育基盤と植物生育基盤の間に埋土種子混在表土を用いた、あるいは、混合したマルチングを行うことにより、遺伝子レベルにまで配慮した自然修復を早期に行うことができる。
（１０）マウンド状の植物生育基盤に野鳥を誘致する実を付ける樹木(食餌木)を繁茂させることにより野鳥を誘致し、その糞中に含まれる種子の発芽を活用することで、遺伝子レベルにまで配慮した自然修復を速やかに行うことができる。
【発明を実施するための最良の形態】
【００１５】
以下、図面を参照しながら本発明の実施形態について説明する。
【実施例１】
【００１６】
まず施工に使用する置苗用基盤保持固定具について説明し、その後に自然修復法面工法について説明する。
【００１７】
（１）置苗用基盤保持固定具
図１，２に本発明に係る置苗用基盤保持固定具１０の一例を示す。
置苗用基盤保持固定具１０は、法面３０に点在して配置され、植物生育基盤を保持する保持帯１１と、保持帯１１のコーナ部に付設した遮水材１２と、保持帯１１の両端部間に横架した幅止筋１３、及びそのほぼ中央に貫通して取り付けられる固定手段であるアンカーピン１４とより構成し、保持帯１１を緑化基礎工として植物生育基盤を造成するものである。
置苗用基盤保持固定具１０は、少なくとも植物生育基盤４０を保持する保持帯１１と固定手段を具備すればよい。以下、各部について詳述する。
【００１８】
（２）保持帯
保持帯１１は法面３０上に自立できるように略直角に成形した面状緑化基礎であり、厚層基材吹付工による植物生育基盤４０の保持機能と植物生育基盤４０の吹付厚さの管理機能を併有する。
したがって、保持帯１１の辺長や高さは植物生育基盤４０の造成平面積やその造成厚に応じて適宜設計する。
【００１９】
保持帯１１の素材は本例では金網で形成する場合について説明するが、金網以外に例えば間伐材、ヌキ板、鉄板、プラスチック等多様な素材を使用でき、要は植物生育基盤の保持と厚さ管理を行うことのできる構造を形成できるものであれば、その素材は制限を受けない。
保持帯１１に間伐材、ヌキ板等のリサイクル資材を用いると、苗木活着後、これらの間伐材、ヌキ板が腐朽して消失するために環境に優しいものとなる。
また保持帯１１に上記と同様の理由で生分解性プラスチック等を用いることもできる。
【００２０】
図示した保持帯１１は帯状板の中央を折り曲げて全体形状を略Ｌ字形または略Ｖ字形等の山形に形成した場合を示す。保持帯１１を山形に形成する場合、その折曲角度は、上記した機能を発揮できる角度であればよく、直角にこだわることなく鈍角や鋭角も含むものである。
保持帯１１の平面形状は山形以外に、略Ｕ字状、或いは略半円状、コ字状であってもよい。
また保持帯１１はそのコーナ部を折り畳み可能なヒンジ構造としてもよい。
【００２１】
さらに保持帯１１は、一部が解放された形態だけでなく、円筒形や立方形等の閉鎖空間を形成し得る枠体も含むものである。
保持帯１１を無端構造の枠体で構成する場合は、幅止筋１３を省略し、アンカーピン１４に枠体の一辺、又は角部を接することで保持帯１１を固定することができる。
【００２２】
（３）遮水材
遮水材１２は、保持帯１１のコーナ部分に雨水を貯留する簡易槽（貯水部）を形成するためのもので、ビニール等の不透水性シート類により構成するものの他に、プラスチックや耐水段ボール等による一体成形物も含むものである。
【００２３】
遮水材１２は、保持帯１１と別体の形態のものを一体に取り付けることの他に、保持帯１１に予め遮水材１２を一体化しておくこともできる。
【００２４】
遮水材１２の貯水部は法面３０の上方に開口し、法面下方が貯水壁となる構造を呈する。具体的にはその底面１２ａの平面形状が保持帯１１のコーナ部の底部を遮蔽可能な略三角形を呈していて、この底面１２ａの隣り合う二辺から延設した起立面１２ｂを垂直に立ち上げて遮水材１２のコーナ部の一対の内周面を覆うように形成されている。
【００２５】
遮水材１２はその底面１２ａが保持帯１１の底部（法面側）を向くように設置される。雨水の貯留を行い植物生育基盤４０の保水性の向上を図るものであるから、その大きさは貯水量を考慮して選択する。
【００２６】
一般に法面３０が急勾配ほど乾燥害を激しく受け、緩勾配になるほど乾燥害を受けにくい。
そこで、法面３０が乾燥害を受けにくい緩勾配の場合は貯水量が少なく、反対に乾燥害を受け易い急勾配ほど貯水量が増すように、遮水材１２は法面３０に接地する底面１２ａの形成長さが、起立面１２ｂの起立高さに比べて短くなるように形成する場合もある。
【００２７】
保持帯１１に遮水材１２を付設することにより、乾燥の激しい硬質切土法面や急勾配岩盤法面に対する苗木２０の活着を良好とすることが可能となる。
また、遮水材１２の背面側は、雨水の貯留により低温となり結露するために、根系の進入しやすい環境が形成されて、シートと地山の間に苗木２０の根系を発達させることとなる。
尚、遮水材１２は必須ではなく、省略する場合もある。
【００２８】
（４）幅止筋
保持帯１１の両側面間に横架する幅止筋１３は、その両端に保持帯１１の両側面と係留可能なフック等が形成されていると共に、その中央部にアンカーピン１４を取り付けるための係留穴１３ａが形成されている。
【００２９】
この係留穴１３ａに代えて、アンカーピン１４に引っ掛けるためのＵ字金物の端部を幅止筋１３に溶接して固定しておき、アンカーピン１４で串刺しにした苗木２０ごと地中に差し込んで後、幅止め筋１３に取り付けたＵ字金物をアンカーピンに引っかけるようにしてもよい。
【００３０】
幅止筋１３は前述したように保持帯１１の口開きを一定に規制すると共に、置苗用基盤保持固定具１０全体をアンカーピン１４に引っかけて取り付けるためのものである。
幅止筋１３の保持帯１１への取り付け位置は、図２に示すように幅止筋１３の下に苗木２０の根鉢２１が取り付く高さとする。
幅止筋１３とアンカーピン１４の協働により、苗木２０の固定と置苗用基盤保持固定具１０の固定を同時に行うことが可能となる。
（５）アンカーピン
アンカーピン１４はあらかじめ電動ドリルなどで削孔した穴に、苗木２０の根鉢２１を貫通させて挿入して、苗木２０と置苗用基盤保持固定具１０を保持するものである。
アンカーピン１４は図示した棒状のピンの他にＵ字形のピンであってもよい。
【００３１】
（６）苗木
本発明では、根鉢２１をアンカーピン１４で固定するため、苗木２０としてポット苗木を使用できる。
根鉢を薄い立方体に形成して根鉢の安定性を良くした薄鉢の苗木（薄鉢コンテナ）を使用せずにするため、使用量に変更があってもその対応が容易である。
【００３２】
（７）自然修復法面工法
つぎに置苗用基盤保持固定具１０を用いた自然修復法面工法について説明する。
コーナ部が斜面下流側に位置するように、所定の間隔を隔てて千鳥状や升目状となるように複数の置苗用基盤保持固定具１０を法面３０に配置する。
【００３３】
つぎに各置苗用基盤保持固定具１０の幅止筋１３と法面３０の間に苗木２０の根鉢２１を配置し、幅止筋１３の中央の係留穴１３ａに差し込んだアンカーピン１４を、根鉢２１に串刺しするように貫通させて地山に打ち込んで、アンカーピン１４で置苗用基盤保持固定具１０と苗木２０がずれ落ちないように一緒に固定する。
苗木２０を固定する際、根鉢２１が遮水材１２と接しないように置苗用基盤保持固定具１０の上部に固定する。
【００３４】
苗木２０はアンカーピン１４で簡単かつ容易に固定できるので、従来のような法面に敷設した金網にポット苗木を結束して固定する困難な作業が不要となるだけでなく、苗木２０に栽培の簡単なポット苗木を使用できる。
【００３５】
法面３０が硬質切土法面や急勾配岩盤法面である場合は、電動ドリル等で予め削孔しておいてからアンカーピン１４を挿入する。
アンカーピン１４を挿入する孔径を若干幅広に開設するならば、アンカーピン１４と孔壁の間に形成される隙間空間を、苗木２０の垂直根を地山深部に伸長させるための割れ目として機能させることが可能とって、苗木２０の固定効果がさらに高まる。
【００３６】
公知の厚層基材吹付工により保持帯１１の内部に植物生育基盤４０を吹き付けて造成する。植物生育基盤４０の造成厚さは、保持帯１１の天端を目安に造成する。
法面３０が急勾配のときは、苗木２０の根鉢２１の周囲を十分に締め固める。
法面３０が緩勾配のならば、人力による客土工で植物生育基盤４０を造成してもよい。
【００３７】
植物生育基盤４０の造成範囲は、置苗用基盤保持固定具１０の平面形状である三角形の範囲だけでもよいが、図４に示すように置苗用基盤保持固定具１０の上端を越えて法面上流側まで広げ、上流にかけて次第に薄くなるように造成することが望ましい。
【００３８】
厚層基材吹付工に用いる吹付機は、例えば１バッチ当たりの吹付基盤容量が１６０リットルのバッチ式であり、置苗用基盤保持固定具１０一箇所当たり１バッチの植物生育基盤材４０を用いてマウンド状に仕上げることが適当である。
【００３９】
マウンド状に造成した植物生育基盤４０の崩落力は、置苗用基盤保持固定具１０で受け止め、最終的に法面３０に固定したアンカーピン１４で支持される。
【００４０】
また置苗用基盤保持固定具１０に付設した遮水材１２は法面３０の上方に開口し、法面下方が起立面１２ｂと底面１２ａとにより貯水部を形成していることから、この貯水部に雨水を貯留して、植物生育基盤４０に良好な保水性を維持できる。
また遮水材１２による貯水部は、法面３０が急勾配になるほど貯水量が増加する構造になっているため、法面３０が乾燥害を受け易い急勾配であっても十分な保水環境を作り出すことができるので、急勾配における乾燥害を緩和することができる。
また植物の根系は水分吸収と共に呼吸も行うものであるため、貯水量が大きすぎると根腐れが発生する心配があるが、根鉢２１は遮水材１２に直接接しないため、十分な保水環境にありながら根腐れの心配がない。
【００４１】
また、遮水材１２の背面側は、雨水の貯留により低温となり結露するために、根系の進入しやすい環境が形成されて、シートと地山の間に苗木２０の根系を発達させることとなる。
【００４２】
上記したように遮水材１２の背面は結露し根系の侵入しやすい環境となるため、遮水材１２の底面１２ａ部分を岩盤部の割れ目に位置させることにより、地山の割れ目に根系の誘導を確実に行うことが可能となる。
そのため、岩盤部の割れ目に根系侵入させることにより、苗木２０が成長して樹木となる過程でしっかりと支えられると共に、水分供給を確実に行うことができるようになるから、環境条件の厳しい箇所に対して樹木が定着しやすくなる。
【００４３】
本発明の場合、植物生育基盤４０を法面３０の全面に均一に造成するのではなく、部分的にマウンド状に仕上げることにより、苗木２０の生長に必要な植物生育基盤４０を効率的、経済的に造成することが可能となる。
【００４４】
これにより、マウンド状の植物生育基盤４０と植物生育基盤４０の間に裸地３１が残されることとなる。
この裸地３１部分は施工直後は裸地のままであるが、図５，６に示すように時間の経過に伴い地山の風化、吹付基盤材のロス、マウンド状の植物生育基盤４０からの肥料養分の溶出によりマウンド状の植物生育基盤４０の周囲の裸地が実質的に植物生育基盤４０と同様の基盤４１としての効果が付与されて行くものであり、植物生育基盤４０と同様の基盤４１は周辺の在来自然植物の侵入する隙間(ギャップ)、または領域（エリア）として有効に活用することとなる。
【００４５】
従来は、植物生育基盤４０を一様の厚さに造成していたため、養分を豊富に含むことから富栄養環境を好むセイタカアワダチソウ、アメリカセンダングサ等の強害雑草が繁茂する隙間となっていたが、本例のようにマウンド状の植物生育基盤４０と植物生育基盤４０の間に裸地３１を積極的に残して厳しい土壌環境を造成することにより、貧栄養の場を好む周辺自然植生の侵入・定着が促進されるものである。
【００４６】
自然植生は、元来養分の少ない土壌条件に耐えて生存する性質を持つものであり、導入する植物の生長を良好とするために土壌改良をし、肥料を併用し養水分に富むように改良を加えた植物生育基盤に対しては種子が飛来しても定着できないものが多い。
その理由は、根系が土壌中に生存する土壌菌に侵されてしまうこと、土壌養分に富む立地で旺盛な生育を示す植物に被圧されてしまうためである。
裸地３１は元来養分の少ない土壌条件である場合が多いことから、飛来した種子の定着がよく、多種類の自然植生を実現できる。
【００４７】
裸地３１に侵入した植物は、生長した苗木２０によって形成される日陰により生育環境が緩和されて行くために次第に大きく成長し、また、多様化した周辺の既設植生環境と同様の植物社会へ復して行くこととなって、生物の多様性と遺伝子レベルにまで配慮した豊かな自然に回復する。
【実施例２】
【００４８】
図７にマウンド状に造成した植物生育基盤４０と植物生育基盤４０の間の裸地にマルチング効果の優れた素材を吹付してマルチング部５０を造成した他の実施例を示す。
【００４９】
法面３０が風化に対し抵抗性のある硬質岩盤法面等の場合は、マウンド状の植物生育基盤４０を点状に配置することで樹林化が可能となるが、風化の進行の速い軟岩地山等の場合は風化の抑止策が必要となる。
【００５０】
このような場合は苗木２０の導入箇所の間の裸地３１の領域に対してマルチング部５０を造成する。
マルチング部５０は、セメント類をバインダーとする(木材生チップ)、モルタルコンクリート吹付工等を挙げることができる。本例の場合、生チップに限定されず、ソイルセメントでも良いし、紙パルプ、ロックウールなど、風化し将来的に植物が生育するものならば何でも良い。
【００５１】
セメント類をバインダーとして木材の生チップ等の植物資材を吹付けてマルチング部５０を造成するならば、苗木２０類が繁茂したとしても、林床は風化損傷することなく、コケ等の日陰に耐える植物が生育することとなる。
マルチング部５０は、有機性の植物資材の分解とバインダーの劣化により、時間の経過と共に土壌化が進行してゆく。
すなわち、マルチング部５０は苗木２０が伸長するまでの数年間(１０年程度)に亘って法面３０を被覆して、地山の水分環境を良好なものとしつつ、苗木２０の被圧を防ぐもので、その後に風化が徐々に進行して外部から植物が定着していく。
マルチング部５０が一定期間に亘って法面３０を被覆し、その後に風化させるためには、マルチング部５０のバインダーとして貧配合ソイルセメントを用いるとよい。
【実施例３】
【００５２】
また、図８に示すように、置苗用基盤保持固定具１０を用いてマウンド状に造成して苗木２０を導入た植物生育基盤４０に耐陰性のツル植物を導入し、その植物生育基盤４０の間をモルタルやコンクリートを吹付けて硬質覆工層６０により被覆するならば、高い法面保護効果が得られると共に、硬質覆工層６０がツル植物により被覆されて緑化されることとなる。この場合は、鉄筋張り工や金網張工を併用しても良い。
【００５３】
従来、これに類似する工法があったが、植物生育基盤の造成の厚さと質が十分でなく、例えば南向き斜面等の直射日光の照り返しにより硬質覆工層６０の地温の上昇が激しい箇所でのツル植物の伸長は困難であった。
【００５４】
本実施例によれば、質的にも量的にも十分な植物生育基盤４０を造成でき、かつ、苗木２０を十分に繁茂させる日陰を造りながらツル植物を導入することができるために、苗木２０の生長とツル植物の良好な生育により硬質覆工層６０の緑化による被覆が可能となる。
【実施例４】
【００５５】
一般に埋土種子混在表土を用いたり、或いは埋土種子混在表土を混合して法面緑化を行うことが知られている。この法面緑化技術は、種子が乾燥しやすい厳しい環境に置かれるために発芽や定着が不良となる場合が多い。
【００５６】
これに対して、マウンド状に造成した植物生育基盤４０と植物生育基盤４０の間の裸地を上記の埋土種子混在表土で覆い、マウンド状に造成した植物生育基盤４０に樹木を繁茂させることにより、日陰地を作り出して法面の環境条件が改善されるために、埋土種子混在表土による植生回復を確実、かつ速やかに行うことが可能となる。
【実施例５】
【００５７】
以上は置苗用基盤保持固定具１０と苗木２０の固定を目的としてアンカーピン１４を使用する場合について説明したが、地上に突出する長さを有する長尺ものを使用して、地上に露出させた突出部を、苗木２０の転倒防止用の支柱として利用したり、或いはシカ等による枝葉の食害を避けるために設置する筒状の防護装置の保持体として活用するようにしてもよい。
【００５８】
長尺鉄筋をアンカーピン１４として用いることにより、転倒しないように十分な根入れ長を確保しつつ、地上に伸びる突出部を支柱とすることで、これまで支柱の設置が困難であるために導入が困難とされてきた大型の苗木２０の導入が可能となるだけでなく、積雪地での苗木２０のクリープによる引き倒しや風衝地での風倒を回避できて、苗木２０の活着を容易にすることができる。
【図面の簡単な説明】
【００５９】
【図１】実施例１に係る置苗用基盤保持固定具を用いた自然修復工法の概念説明図。
【図２】置苗用基盤保持固定具を背面側から見た斜視図。
【図３】置苗用基盤保持固定具と苗木を固定する作業工程説明図。
【図４】置苗用基盤保持固定具に植物生育基盤を造成する作業工程説明図。
【図５】置苗用基盤保持固定具の周囲に植物生育基盤と同様の基盤が形成された状態における法面の縦断面図。
【図６】図５に示した苗木と植物生育基盤の斜視図。
【図７】実施例２に係る置苗用基盤保持固定具を用いた自然修復工法の概念説明図。
【図８】植物生育基盤と植物生育基盤の間にマルチング部を造成した自然修復工法の概念説明図。
【符号の説明】
【００６０】
１０・・・・・・置苗用基盤保持固定具
１１・・・・・・保持帯
１２・・・・・・遮水材
１３・・・・・・幅止筋
１４・・・・・・アンカーピン
２０・・・・・・苗木
２１・・・・・・根鉢
３０・・・・・・法面
３１・・・・・・裸地
４０・・・・・・植物生育基盤
５０・・・・・・マルチング部
６０・・・・・・硬質覆工層
【図１】
2006342572.tif 000003
【図２】
2006342572.tif 000004
【図３】
2006342572.tif 000005
【図４】
2006342572.tif 000006
【図５】
2006342572.tif 000007
【図６】
2006342572.tif 000008
【図７】
2006342572.tif 000009
【図８】
2006342572.tif 000010